【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
撮影により静止画像を取得する撮像手段と、
前記撮像手段により取得された静止画像のなかから動画作成の対象となる一枚の画像を選択する画像選択手段と、
前記画像選択手段により選択された一枚の画像から領域サイズの異なる複数領域を切り出す切り出し手段と、
前記切り出し手段により切り出された複数領域の画像を連結して動画像を作成し記録する動画作成手段と、
前記動画作成手段により記録された動画像を出力する動画出力手段と、
を備えたことを特徴とする撮影装置。
【請求項２】
前記画像選択手段により選択された一枚の画像から切り出す複数領域に関する条件を含む動画作成条件を設定する設定手段を備え、
前記切り出し手段は、前記設定手段により設定された動画作成条件に基づいて、前記画像選択手段により選択された一枚の画像から領域サイズの異なる複数領域の画像を切り出すことを特徴とする請求項１に記載の撮影装置。
【請求項３】
前記動画作成手段は、前記設定手段により設定された動画作成条件を前記画像選択手段により選択された一枚の画像から作成した動画像に対応付けて記録しておき、前記記録された動画作成条件に基づいて、前記画像選択手段により選択された一枚の画像とは異なる他の画像から動画像を作成することを特徴とする請求項２に記載の撮影装置。
【請求項４】
前記画像選択手段により選択された一枚の画像から動画開始領域を設定する開始領域設定手段を備え、
前記切り出し手段は、前記開始領域設定手段により設定された動画開始領域から前記任意の画像の全領域に達するまで段階的に領域サイズを拡大しつつ切り出すことを特徴とする請求項１に記載の撮影装置。
【請求項５】
前記画像選択手段により選択された一枚の画像から動画終了領域を設定する終了領域設定手段を備え、
前記切り出し手段は、前記画像選択手段により選択された一枚の画像の全領域から前記終了領域設定手段により設定された動画終了領域に達するまで段階的に領域サイズを縮小しつつ切り出すことを特徴とする請求項１に記載の撮影装置。
【請求項６】
前記動画作成手段は、前記切り出し手段により切り出された複数の画像のそれぞれを拡大又は縮小することにより画像サイズを統一し、前記画像サイズの統一された複数の画像を連結して動画像を作成することを特徴とする請求項１〜５の何れか一項に記載の撮影装置。
【請求項７】
前記切り出し手段は、前記画像選択手段により選択された一枚の画像から切り出す領域を予め設定された位置から予め設定された回転方向に段階的に拡張して、切り出し領域が画像全体となるまで複数切り出すことを特徴とする請求項１に記載の撮影装置。
【請求項８】
前記切り出し手段は、前記画像選択手段により選択された一枚の画像から切り出す領域を予め設定された位置から渦巻状に段階的に拡張して、切り出し領域が画像全体となるまで複数切り出すことを特徴とする請求項１に記載の撮影装置。
【請求項９】
コンピュータを、
撮影により取得された静止画像のなかから動画作成の対象となる一枚の画像を選択する画像選択手段、
前記画像選択手段により選択された一枚の画像から領域サイズの異なる複数領域を切り出す切り出し手段、
前記切り出し手段により切り出された複数領域の画像を連結して動画像を作成し記録す
る動画作成手段、
前記動画作成手段により記録された動画像を出力する動画出力手段、
として機能させるためのプログラム。
【手続補正２】
【補正対象書類名】明細書
【補正対象項目名】０００５
【補正方法】変更
【補正の内容】
【０００５】
上記課題を解決するため、請求項１に記載の撮影装置は、  
撮影により静止画像を取得する撮像手段と、
前記撮像手段により取得された静止画像のなかから動画作成の対象となる一枚の画像を選択する画像選択手段と、
前記画像選択手段により選択された一枚の画像から領域サイズの異なる複数領域を切り出す切り出し手段と、
前記切り出し手段により切り出された複数領域の画像を連結して動画像を作成し記録する動画作成手段と、
前記動画作成手段により記録された動画像を出力する動画出力手段と、
を備えたことを特徴としている。
【手続補正３】
【補正対象書類名】明細書
【補正対象項目名】０００６
【補正方法】変更
【補正の内容】
【０００６】
本発明によれば、撮影により取得された静止画像のなかから動画作成の対象となる一枚の画像が選択されると、選択された一枚の画像から領域サイズの異なる複数領域を切り出し、切り出された複数領域の画像を連結して動画像を作成して記録し、この記録された動画像を出力する。従って、撮影により取得された静止画像から遠近感のある動画像を再生出力することが可能となる。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００４３
【補正方法】変更
【補正の内容】
【００４３】
ステップＴ２６において実行される動画作成処理Ａは、ＣＰＵ１１と記録部１７に記録された動画作成処理Ａプログラムとの協働によるソフトウエア処理により実現されるものであり、マニュアル設定された動画作成条件に基づいて選択画像から領域サイズの異なる複数領域を切り出す切り出し手段、切り出した複数領域の画像に基づき動画像を作成し記録する動画作成手段、を実現する。
【手続補正１２】
【補正対象書類名】明細書
【補正対象項目名】００５３
【補正方法】変更
【補正の内容】
【００５３】
ステップＴ３７において実行される動画作成処理Ｂは、ＣＰＵ１１と記録部１７に記録された動画作成処理Ｂプログラムとの協働によるソフトウエア処理により実現されるものであり、選択画像の全領域からステップＴ３５において設定された動画終了領域に達するまで段階的に領域サイズを縮小しつつ複数領域を切り出す切り出し手段、切り出した複数領域の画像に基づき動画像を作成し記録する動画作成手段、を実現する。
【手続補正１３】
【補正対象書類名】明細書
【補正対象項目名】００６１
【補正方法】変更
【補正の内容】
【００６１】
ステップＴ４１において実行される動画作成処理Ｃは、ＣＰＵ１１と記録部１７に記録された動画作成処理Ｃプログラムとの協働によるソフトウエア処理により実現されるものであり、ステップＴ３９において設定された領域から選択画像の全領域に達するまで段階的に領域サイズを拡大した複数領域を切り出す切り出し手段、切り出した複数領域の画像に基づき動画像を作成し記録する動画作成手段を実現する。
【手続補正１４】
【補正対象書類名】明細書
【補正対象項目名】００６８
【補正方法】変更
【補正の内容】
【００６８】
ステップＴ４６において実行される動画作成処理Ｄは、ＣＰＵ１１と記録部１７に記録された動画作成処理Ｄプログラムとの協働によるソフトウエア処理により実現されるものであり、選択画像から切り出す領域を、ステップＴ４３で設定された開始位置からステップＴ４４で設定された回転方向に段階的に拡張して、切り出し領域が画像全体となるまで複数切り出す切り出し手段、切り出した複数領域の画像に基づき動画像を作成し記録する動画作成手段を実現する。
【手続補正１５】
【補正対象書類名】明細書
【補正対象項目名】００７６
【補正方法】変更
【補正の内容】
【００７６】
ステップＴ５０において実行される動画作成処理Ｅは、ＣＰＵ１１と記録部１７に記録された動画作成処理Ｅプログラムとの協働によるソフトウエア処理により実現されるものであり、選択画像から切り出す領域を、ステップＴ４７で設定された開始位置からステップＴ４８で設定された回転方向に渦巻状に拡張して、切り出し領域が画像全体となるまで複数切り出す切り出し手段、切り出した複数領域の画像に基づき動画像を作成し記録する動画作成手段、を実現する。